(57)【要約】      （修正有）【課題】作業性に優れ、係合状態が解除されにくい固定装置を提案する。【解決手段】固定装置であって、第１の部材と、第２の部材と、を備える。第１の部材は、貫通孔２２が形成される。第２の部材は、貫通孔に挿入された状態で貫通孔と係合可能に構成される係合突起３３を有する。さらに第１の部材は、貫通孔を囲うように第１の部材から突出する筒状部２１を有する。【選択図】図４
0003221769.tif 000002
【実用新案登録請求の範囲】
【請求項１】
貫通孔が形成される第１の部材と、
前記貫通孔に挿入された状態で前記貫通孔と係合可能に構成される係合突起を有する第２の部材と、を備え、
さらに前記第１の部材は、前記貫通孔を囲うように前記第１の部材から突出する筒状部を有する、固定装置。
【請求項２】
請求項１に記載の固定装置であって、
前記第１の部材と、前記第２の部材と、は一体に構成されている、固定装置。
【請求項３】
請求項１又は請求項２に記載の固定装置であって、
前記係合突起は、前記第２の部材に対して着脱可能に構成されている、固定装置。
【請求項４】
請求項１から請求項３のいずれか一項に記載の固定装置であって、
前記筒状部は、突出した先端側ほど外径が小さい、固定装置。
【請求項５】
電線を接続するスリーブ接続部材を覆うスリーブカバーであって、
請求項１から請求項４のいずれか１項に記載の固定装置を備え、
前記第１の部材と、前記第２の部材と、を前記固定装置により固定することで、前記スリーブ接続部材を覆うことが可能な形態となる、スリーブカバー。
【考案の詳細な説明】
【技術分野】
【０００１】
本開示は、２つの部材の固定を実現する固定装置と、当該固定装置を用いたスリーブカバーに関する。
【背景技術】
【０００２】
簡易的に２つの部材を固定する固定装置として、例えば特許文献１に開示されるスリーブカバーのように、一方の部材に係合孔を設けると共に他方の部材に係合突起を設け、それらを係合させる構造が用いられている。
【先行技術文献】
【特許文献】
【０００３】
【特許文献１】特開２０１８−１２５１６２号公報
【考案の概要】
【考案が解決しようとする課題】
【０００４】
上述した固定装置では、係合孔の剛性が充分でないと、係合突起と係合された状態が解除され易くなってしまう。係合孔が設けられる部材に柔軟性の高い部材を用いようとする場合、その問題が特に顕著になる。また、係合孔周辺の柔軟性が高いと、係合突起を係合孔に挿入する作業を行う際に係合孔周辺部分が変形してしまい係合突起を挿入しにくいという問題がある。
【０００５】
本開示の目的は、作業性に優れ、係合状態が解除されにくい固定装置を提案することである。
【課題を解決するための手段】
【０００６】
本開示の一態様は、固定装置であって、第１の部材と、第２の部材と、を備える。第１の部材は、貫通孔が形成される。第２の部材は、貫通孔に挿入された状態で貫通孔と係合可能に構成される係合突起を有する。さらに第１の部材は、貫通孔を囲うように第１の部材から突出する筒状部を有する。
【０００７】
このような構成であれば、係合突起と貫通孔とが係合することで、第１の部材と、第２の部材と、が固定される。そして、筒状部によって貫通孔の周辺部分の剛性が向上し、変形が抑制されるため、係合させる作業性が高くなり、かつ、係合突起との係合状態が解除されにくくなる。また形状が筒状であることから、貫通孔周辺が広く肉厚に形成された構成と比較して材料の使用量を抑制でき、第１の部材の重量の増加を抑制することができる。
【０００８】
上述した第１の部材と、第２の部材と、は一体に構成されていてもよい。このような構成であれば、一体に構成された第１の部材と第２の部材との一部を固定することができる。
【０００９】
また、上述した係合突起は、第２の部材に対して着脱可能に構成されていてもよい。このような構成であれば、係合突起を第２の部材と一体に成形する場合と比較して、係合突起の材質や形状を自由に設定できる。例えば、第２の部材よりも剛性の高い材質で係合突起を構成することで、貫通孔との係合状態を良好に維持することができるようになる。
【００１０】
また、上述した筒状部は、突出した先端側ほど外径が小さくてもよい。このような構成であれば、筒状部が先端ほど細くなることで作業時に他の物に接触しにくくなり、作業性の向上を図ることができる。
【図面の簡単な説明】
【００１１】
【図１】図１Ａは実施形態のスリーブカバーを示す正面図であり、図１Ｂは実施形態のスリーブカバーを示す右側面図である。
【図２】スリーブカバーの第１壁部、第１フランジ部、第２壁部、第２フランジ部を示す図であって、折り曲げをせずに開いた状態を示す図である。
【図３】スリーブカバーによってＬ型分岐スリーブ金具を覆った状態を示す図である。
【図４】図４Ａが筒状部の側面図であり、図４Ｂが、係合突起を備える係合部材であって、第２フランジ部に取り付けられた状態の係合部材の側面図であり、図４Ｃが筒状部に係合突起を係合させた状態を示す側面図である。
【図５】図５Ａが変形例の係合突起を示す側面図であり、図５Ｂがその係合突起を変形例の筒状部に係合させた状態を示す側面図である。
【図６】図６Ａ−６Ｃが、それぞれ、変形例の固定装置を示す側面図である。
【考案を実施するための形態】
【００１２】
以下に本開示の実施形態を図面と共に説明する。
［１．実施形態］
［１−１．全体構成］
図１Ａ，１Ｂ及び図２に示されるように、本実施形態のスリーブカバー１は、第１壁部１１、第１フランジ部１２、第２壁部１３、第２フランジ部１４、及び固定装置３を備える。
【００１３】
第１壁部１１は、略Ｔ字型に形成されており、円筒を軸方向に半割した半筒状の主壁部１１ａに交差するように、同じく半筒状の副壁部１１ｂが接続している。第１フランジ部１２は、主壁部１１ａと副壁部１１ｂとの間に設けられる薄板状の部材である。
【００１４】
図２に示されるように、第２壁部１３及び第２フランジ部１４は、後述する固定装置３に係る部分以外は、第１壁部１１及び第１フランジ部１２と略対称の形状である。第２壁部１３は、主壁部１３ａ及び副壁部１３ｂを備える。第１壁部１１と第２壁部１３は、主壁部１１ａと主壁部１３ａとがそれらの長さ方向と交差する方向に並ぶように連接されている。
【００１５】
第１壁部１１、第１フランジ部１２、第２壁部１３、及び第２フランジ部１４は、一体に構成されている。これらはゴム等の弾性を有する合成樹脂により構成されているため、折り曲げ等の変形が可能である。第１フランジ部１２と第２フランジ部１４とが重なるように第１壁部１１と第２壁部１３の連接部分を折り曲げると、図１Ａ，１Ｂに示される形態となる。この状態では、第１壁部１１と第２壁部１３とによって略Ｔ字型の中空体が構成される。このようにスリーブカバー１の折り曲げた状態は、複数の固定装置３によって第１フランジ部１２と第２フランジ部１４とを固定することで維持される。
【００１６】
図３に示されるように、このスリーブカバー１は、上述した略Ｔ字型の中空体により、Ｌ型分岐スリーブ金具１０１によって接続される電線１０３と電線１０５の接続部分をカバーすることができる。ここでいう電線１０３及び電線１０５は、屋外にて電柱などに架けて配置される電線である。Ｌ型分岐スリーブ金具１０１が、スリーブ接続部材に相当する。
【００１７】
［１−２．固定装置］
固定装置３は、第１フランジ部１２と、第２フランジ部１４と、を備え、それらを固定する装置である。なお、第１フランジ部１２が第１の部材に相当し、第２フランジ部１４が第２の部材に相当する。
【００１８】
図４Ａ〜４Ｃに示されるように、スリーブカバー１に設けられる固定装置３それぞれにおいて、第１フランジ部１２は筒状部２１を有するとともに貫通孔２２が形成され、第２フランジ部１４は係合部材３１を有する。
【００１９】
図４Ａに示されるように、筒状部２１は、貫通孔２２の縁部から間隔を空けて該貫通孔２２を囲うように第１フランジ部１２から突出する。筒状部２１は、突出した先端側ほど外径が小さくなる筒状の形状である。なお、貫通孔２２の縁部において、次に説明する係合部材３１の係合突起３３が係合する。
【００２０】
図４Ｂに示されるように、係合部材３１は、基部３２と、係合突起３３と、を備える。基部３２は、円形の板状の部材である。係合突起３３は、先端部３４と、先端部３４と基部３２とをつなぐ柱部３５と、を備える。先端部３４は、基部３２とは反対の先ほど細く、基部３２側に近づくにつれて徐々に外径が大きくなる。柱部３５は、先端部３４の最も外径の広い部分よりも小さい外径を有する。係合部材３１は、第１フランジ部１２及び第２フランジ部１４よりも剛性が高く変形しにくい素材で構成されている。
【００２１】
図２及び図４Ｂに示されるように、第２フランジ部１４には複数の保持孔２３が形成されている。保持孔２３は、柱部３５の外径とほぼ同一か、或いは僅かに大きく構成されている。そのため、係合部材３１は、係合突起３３を保持孔２３に挿入することで第２フランジ部１４に取り付けられる。保持孔２３は、係合突起３３を挿入するとき、及び係合突起３３を取り外すときには、先端部３４が通過できるように弾性変形する。つまり、係合突起３３は、第２フランジ部１４に対して着脱可能に構成されている。
【００２２】
次に、第１フランジ部１２と第２フランジ部１４の固定について説明する。
貫通孔２２と保持孔２３の内径はほぼ同じである。係合突起３３の先端部３４の最も外径の大きい部分は、貫通孔２２の内径よりも大きい。よって、図４Ｃに示されるように、係合部材３１は、係合突起３３が貫通孔２２に挿入された状態で貫通孔２２と係合可能に構成されている。よって、係合突起３３と貫通孔２２とを係合させることで、第１フランジ部１２と第２フランジ部１４の固定が実現される。
【００２３】
ここでいう係合突起３３と貫通孔２２との係合とは、貫通孔２２を通過した状態の係合突起３３が、貫通孔２２を構成する壁面の軸方向の端部（貫通孔２２の縁部）と当接することで、係合突起３３が貫通孔２２を通過することが制限される状態を言う。貫通孔２２が大きく開くように弾性変形させて係合突起３３を外すことで、第１フランジ部１２と第２フランジ部１４の固定が解除される。
【００２４】
［１−３．効果］
以上詳述した実施形態によれば、以下の効果が得られる。
（１ａ）スリーブカバー１では、筒状部２１によって貫通孔２２の周辺部分の剛性が向上し、変形が抑制されるため、貫通孔２２に係合突起３３を挿入する作業が行い易く作業性に優れており、また、係合突起３３との係合状態が解除されにくくなる。また筒状部２１が筒状であることから、貫通孔２２周辺が広く肉厚に形成された構成と比較して材料の使用量を抑制でき、第１フランジ部１２の重量の増加を抑制することができる。
【００２５】
（１ｂ）スリーブカバー１は、第１フランジ部１２と第２フランジ部１４とを固定装置３により固定することで、第１壁部１１と第２壁部１３との連接部分を折り曲げた状態を維持することができる。ここで、第１壁部１１、第１フランジ部１２、第２壁部１３、及び第２フランジ部１４は一体に構成されているため、複数の部材に分かれている構成と比較して取り扱いが容易であり、固定装置３を利用して簡便にＬ型分岐スリーブ金具１０１への取り付けを行うことができる。
【００２６】
（１ｃ）スリーブカバー１では、係合突起３３が、第２フランジ部１４に対して着脱可能に構成されており、第２フランジ部１４等よりも剛性の高い材質で構成されている。そのため、先端部３４が意図せず変形して貫通孔２２から脱落してしまう危険が低減され、係合突起３３と貫通孔２２との係合状態を良好に維持することができる。
（１ｄ）筒状部２１は、突出した先端側ほど外径が小さく構成されているため、作業時に他の物に接触しにくくなり、作業性の向上を図ることができる。
【００２７】
［２．その他の実施形態］
以上本考案の実施形態について説明したが、本考案は、上記実施形態に何ら限定されることはなく、本考案の技術的範囲に属する限り種々の形態をとり得ることはいうまでもない。
【００２８】
（２ａ）上記実施形態では、固定装置３を備えるスリーブカバー１を例示したが、本開示の固定装置が用いられる対象物はスリーブカバーに限定されず、様々な物に対して用いることができる。また、固定装置は、用途に応じた様々な形状に変形することができ、また用いられる数も１つ以上であればよい。
【００２９】
（２ｂ）上記実施形態では、係合突起３３として第２の部材（第２フランジ部１４）に着脱可能に設けられる構成を例示したが、係合突起は第２の部材と一体に、又は着脱不能に設けられていてもよい。
【００３０】
また、係合突起の具体的な形状は、第１の部材に設けられる貫通孔に係合可能であれば、その具体的な構成は特に限定されない。例えば、図５Ａ，図５Ｂに示されるように、折り曲げられた板状の形状である係合突起２０１を採用してもよい。
【００３１】
（２ｃ）筒状部の形状は、上記実施形態にて示した筒状部２１の形状に限定されない。例えば、角筒などの円筒以外の筒状であってもよい。また、先端側の外径が細くなっていなくてもよい。また、筒状部は先端側が閉じた筒状であってもよい。また、筒状部は貫通孔の周囲を完全に囲ってはおらず、例えばＣ字型に形成されていてもよい。この場合、貫通孔も閉じられた孔ではなく、第１の部材の外周から繋がるスリットが設けられていてもよい。
【００３２】
また、図６Ａに示される固定装置３ａのように、係合部材２１３の係合突起２１５の先端部が係合する貫通孔の縁部は、筒状部２１１の延び出した先端であってもよい。また、図６Ｂに示される固定装置３ｂのように、筒状部２２１の長さ方向の中間部まで貫通孔２２７が延び、係合部材２２３の係合突起２２５の先端部が係合する構成であってもよい。
【００３３】
また、図６Ｃに示される固定装置３ｃのように、筒状部２３１が第２フランジ部１４の側に突出し、突出した先端側から係合部材２３３の係合突起２３５が挿入される構成であってもよい。なお、上述した実施形態の筒状部２１のように、第２フランジ部１４とは反対側に突出することで、係合突起３３の先端部３４、つまり貫通孔２２との係合部分を筒状部２１の壁面で覆うことができ、係合状態が意図せず解除されてしまうことを抑制できる。
【００３４】
（２ｄ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００３５】
１…スリーブカバー、３，３ａ，３ｂ，３ｃ…固定装置、１１…第１壁部、１１ａ，１３ａ…主壁部、１１ｂ，１３ｂ…副壁部、１２…第１フランジ部、１３…第２壁部、１４…第２フランジ部、２１，２１１，２２１，２３１…筒状部、２２，２２７…貫通孔、２３…保持孔、３１，２１３，２２３，２３３…係合部材、３２…基部、３３，２０１，２１５，２２５，２３５…係合突起、３４…先端部、３５…柱部、１０１…型分岐スリーブ金具、１０３，１０５…電線
【図１】
0003221769.tif 000003
【図２】
0003221769.tif 000004
【図３】
0003221769.tif 000005
【図４】
0003221769.tif 000006
【図５】
0003221769.tif 000007
【図６】
0003221769.tif 000008
【手続補正書】
【提出日】平成31年4月11日(2019.4.11)
【手続補正１】
【補正対象書類名】実用新案登録請求の範囲
【補正対象項目名】請求項１
【補正方法】変更
【補正の内容】
【請求項１】
貫通孔が形成される第１の部材と、
係合突起を有する第２の部材と、を備え、
前記係合突起は、
前記貫通孔に挿入可能である挿入部分と、
前記挿入部分に形成され、前記貫通孔に挿入された前記挿入部分が挿入方向とは逆の方向に移動するときに前記貫通孔の縁部と当接する当接部分と、
を有しており、それにより、前記貫通孔に挿入された状態で前記貫通孔と係合可能であり、
さらに前記第１の部材は、前記貫通孔を囲うように前記第１の部材から突出する筒状部を有する、固定装置。